(57)【要約】【課題】下側包装シートに上側包装シートを重ね合わせ、その周囲をシール加工した包装シート袋の、下側包装シートと上側包装シートを、粘着テープを利用して剥離する装置を提供する。【解決手段】粘着テープ送出手段２、上側包装シート巻き取り手段６、粘着テープ送出手段８、下側包装シート巻き取り手段１１、包装シート袋送出手段１２、粘着テープ押し当て手段３、粘着テープ加圧手段４、粘着テープ貼付加圧手段９、上側包装シート剥離手段５、下側包装シート剥離手段１０、操作手段１４を有する。【選択図】　図３
2004131277.tif 000002
【特許請求の範囲】
【請求項１】
下記の要件を備えて成ることを特徴とする粘着テープを利用した包装シート剥離装置。
（イ）一方の面のみ粘着剤が塗布されているテープを巻いた粘着テープ１が装着でき、粘着テープ１の端部を剥離した場合、その剥離した粘着テープ１を送り出す粘着テープ送出手段２を有する。
（ロ）剥離後の上側包装シート５３が貼付されている粘着テープ１を巻き取る上側包装シート巻き取り手段６を有する。
（ハ）一方の面のみ粘着剤が塗布されているテープを巻いた粘着テープ７が装着でき、粘着テープ７の端部を剥離した場合、その剥離した粘着テープ７を送り出す粘着テープ送出手段８を有する。
（ニ）剥離後の下側包装シート５２が貼付されている粘着テープ７を巻き取る下側包装シート巻き取り手段１１を有する。
（ホ）剥離しようとする包装シート袋５４が格納できるボックスを有し、包装シート袋５４をボックス外に１つ１つ送り出す包装シート袋送出手段１２を有する。
（ヘ）包装シート袋送出手段１２から送り出される包装シート袋５４の上側包装シート５３に、剥離した粘着テープ１の粘着剤が塗布されている面を押し当てる、レバー２１で連結されている粘着テープ押し当て手段３を有する。
（ト）レバー２１は支点２２を有し、レバー２１の粘着テープ押し当て手段３寄りに、一方が支持部２５に固定されているバネ２３が連結されていて、支点２２と粘着テープ押し当て手段３の間の部分が、粘着テープ加圧手段４に設けたピン２４に乗っている。
（チ）中心軸を有し中心軸から離れた位置にレバー２１が乗るピン２４を設け、粘着テープ加圧手段９との隙間を調整できる移動可能な粘着テープ加圧手段４を有する。
（リ）包装シート袋５４の下側包装シート５２に、剥離した粘着テープ７の粘着剤が塗布されている面を押し当てる粘着テープ貼付加圧手段９を有する。
（ヌ）包装シート袋５４の上側包装シート５３を剥離し、下側包装シート剥離手段１０との隙間を調整できる移動可能な上側包装シート剥離手段５を有する。
（ル）包装シート袋５４の下側包装シート５２を剥離する下側包装シート剥離手段１０を有する。
（ヲ）上側包装シート巻き取り手段６と下側包装シート巻き取り手段１１とクランク３０などで連結され、上側包装シート巻き取り手段６と下側包装シート巻き取り手段１１を一定の方向にかつ一定の角度回転操作できる操作手段１４を有する。
（ワ）粘着テープ送出手段２と上側包装シート巻き取り手段６の間には、剥離した粘着テープ１の移動方向順に、粘着テープ押し当て手段３・包装シート袋送出手段１２、粘着テープ加圧手段４、上側包装シート剥離手段５が位置する。
（カ）粘着テープ送出手段８と下側包装シート巻き取り手段１１の間には、剥離した粘着テープ７の移動方向順に、粘着テープ貼付加圧手段９、下側包装シート剥離手段１０が位置する。
（ヨ）粘着テープ加圧手段４と粘着テープ貼付加圧手段９、上側包装シート剥離手段５と下側包装シート剥離手段１０は、それぞれ、包装シート袋５４をはさむことができるように位置する。
【発明の詳細な説明】
【０００１】
【発明の属する技術分野】
この発明は、薄くてシートより小さい物を載せた下側包装シートに上側包装シートを重ね合わせ、その周囲をシール加工した包装シート袋の、下側包装シートと上側包装シートを、粘着テープを利用して剥離する装置に関するものである。
【０００２】
【従来の技術】
従来、図１、図２で示すような、周囲がシールされた２枚のシート（下側包装シート５２と上側包装シート５３）で形成された包装シート袋５４に内蔵されている濾紙（ろし）５１などを取り出す場合、下側包装シート５２を一方の手の指先で摘まみ、上側包装シート５３を他方の手の指先で摘まみながら、包装シート袋５４を剥がし、露出した濾紙５１などをピンセットなどで摘まみ取っていた。
【０００３】
【発明が解決しようとする課題】
これには、次のような欠点があった。
（イ）剥離作業は素手でないと、上側包装シート５３と下側包装シート５２を剥がしにくく、両手の指先による手作業であるため大変な手間と時間を要していた。
（ロ）上側包装シート５３と下側包装シート５２の剥離作業が終えると、今度は一方の手でピンセットなどを取り、濾紙５１などを摘まみ取る作業も大変な手間と時間を要していた。
（ハ）包装シート袋５４に内蔵されている物が衛生的な質を要求される場合、不注意によってそれを素手で触ってしまう恐れが強かった。
（ニ）剥離後の上側包装シート５３と下側包装シート５２がゴミとして生じるが、いちいち片付けるか、ある程度まとめてから片付けるかなどしなければならず、その片付けが面倒であった。
本発明は、以上の欠点を解決するためになされたものである。
【０００４】
【課題を解決するための手段】
以上の欠点を解決するため、下記の要件を備えて成ることを特徴とする粘着テープを利用した包装シート剥離装置を発明した。これを図３で説明する。
（イ）一方の面のみ粘着剤が塗布されているテープを巻いた粘着テープ１が装着でき、粘着テープ１の端部を剥離した場合、その剥離した粘着テープ１を送り出すことができる粘着テープ送出手段２を有する。
（ロ）剥離後の上側包装シート５３が貼付されている粘着テープ１を巻き取るための上側包装シート巻き取り手段６を有する。
（ハ）一方の面のみ粘着剤が塗布されているテープを巻いた粘着テープ７が装着でき、粘着テープ７の端部を剥離した場合、その剥離した粘着テープ７を送り出すことができる粘着テープ送出手段８を有する。
（ニ）剥離後の下側包装シート５２が貼付されている粘着テープ７を巻き取るための下側包装シート巻き取り手段１１を有する。
（ホ）剥離しようとする包装シート袋５４が格納できるボックスを有し、包装シート袋５４をボックス外に１つ１つ送り出すことができる包装シート袋送出手段１２を有する。
（ヘ）包装シート袋送出手段１２から送り出される包装シート袋５４の上側包装シート５３に、剥離した粘着テープ１の粘着剤が塗布されている面を押し当てる、レバー２１で連結されている粘着テープ押し当て手段３を有する。
（ト）レバー２１は支点２２を有し、レバー２１の粘着テープ押し当て手段３寄りには、一方が支持部２５に固定されているバネ２３が連結されていて、支点２２と粘着テープ押し当て手段３の間の部分は、粘着テープ加圧手段４に設けられているピン２４に乗っている。
（チ）包装シート袋５４の上側包装シート５３に粘着テープ１を確実に貼付させ、中心軸を有し中心軸から離れた位置にレバー２１を乗せることができるピン２４が設けられ、粘着テープ加圧手段９との隙間を調整できるように移動可能な粘着テープ加圧手段４を有する。
（リ）包装シート袋５４の下側包装シート５２に、剥離した粘着テープ７の粘着剤が塗布されている面を押し当てながら、粘着テープ７を確実に貼付させるための粘着テープ貼付加圧手段９を有する。
（ヌ）包装シート袋５４の上側包装シート５３を剥離し、下側包装シート剥離手段１０との隙間を調整できるように移動可能な上側包装シート剥離手段５を有する。
（ル）包装シート袋５４の下側包装シート５２を剥離するための下側包装シート剥離手段１０を有する。
（ヲ）上側包装シート巻き取り手段６と下側包装シート巻き取り手段１１とクランク３０などで連結され、上側包装シート巻き取り手段６と下側包装シート巻き取り手段１１を一定の方向にかつ一定の角度回転操作できる操作手段１４を有する。
（ワ）粘着テープ送出手段２と上側包装シート巻き取り手段６の間には、剥離した粘着テープ１の移動方向順に、粘着テープ押し当て手段３・包装シート袋送出手段１２、粘着テープ加圧手段４、上側包装シート剥離手段５が位置している。
（カ）粘着テープ送出手段８と下側包装シート巻き取り手段１１の間には、剥離した粘着テープ７の移動方向順に、粘着テープ貼付加圧手段９、下側包装シート剥離手段１０が位置している。
（ヨ）粘着テープ加圧手段４と粘着テープ貼付加圧手段９、上側包装シート剥離手段５と下側包装シート剥離手段１０は、それぞれ、包装シート袋５４をはさむことができるように位置する。
本発明は、以上の要件を備えて成ることを特徴とする粘着テープを利用した包装シート剥離装置である。
【０００５】
【発明の実施の形態】
以下、本発明の実施の形態を説明する。
粘着テープ送出手段２は、一方の面のみ粘着剤が塗布されているテープを巻いた粘着テープ１が装着でき、粘着テープ１の端部を剥離した場合、その剥離した粘着テープ１を送り出すことができるように、中心軸を持つ回転構造の装置が適している。さらに、巻かれている粘着テープ１の空回転防止のために、ブレーキスプリング４０などが設けられている。
【０００６】
上側包装シート巻き取り手段６は、剥離後の上側包装シート５３が貼付されている粘着テープ１を巻き取るために、中心軸を持つ回転構造の装置が適している。
【０００７】
粘着テープ送出手段８は、一方の面のみ粘着剤が塗布されているテープを巻いた粘着テープ７が装着でき、粘着テープ７の端部を剥離した場合、その剥離した粘着テープ７を送り出すことができるように、中心軸を持つ回転構造の装置が適している。さらに、巻かれている粘着テープ７の空回転防止のために、ブレーキスプリング４１などが設けられている。
【０００８】
下側包装シート巻き取り手段１１は、剥離後の下側包装シート５２が貼付されている粘着テープ７を巻き取るために、中心軸を持つ回転構造の装置が適している。
【０００９】
包装シート袋送出手段１２は、剥離しようとする包装シート袋５４が複数格納できるボックスを有し、包装シート袋５４をボックス外に１つ１つ送り出すことができるように定荷重バネ１３などを設けた装置が適している。
【００１０】
粘着テープ押し当て手段３は、包装シート袋送出手段１２から送り出される包装シート袋５４の上側包装シート５３に、剥離した粘着テープ１の粘着剤が塗布されている面を押し当てるもので、レバー２１と連結されていて、中心軸を持つ回転構造の装置が適している。
【００１１】
レバー２１は支点２２を有し、レバー２１の粘着テープ押し当て手段３寄りには、一方が支持部２５に固定されているバネ２３が連結されていて、支点２２と粘着テープ押し当て手段３の間の部分は粘着テープ加圧手段４に設けられているピン２４に乗っている。
【００１２】
粘着テープ加圧手段４が回転すると、ピン２４もそれに伴い移動するので、レバー２１は支点２２を中心に弧を描くように動く。それに伴い、レバー２１に連結されているバネ２３は伸縮運動を始める。この運動によって、粘着テープ押し当て手段３も、レバー２１の支点２２を中心に弧を描くように動く。このため、包装シート袋送出手段１２から送り出される包装シート袋５４の上側包装シート５３に、剥離した粘着テープ１の粘着剤が塗布されている面を押し当てることができる。（図７、図８、図９、図１０）
【００１３】
粘着テープ加圧手段４は、包装シート袋５４の上側包装シート５３に粘着テープ１を確実に貼付させるためのもので、中心軸を有し中心軸から離れた位置にレバー２１を乗せることができるピン２４が設けられた回転構造の装置が適している。さらに、粘着テープ加圧手段９との隙間を調整できるように移動できる構造が適している。
【００１４】
粘着テープ貼付加圧手段９は、包装シート袋５４の下側包装シート５２に、剥離した粘着テープ７の粘着剤が塗布されている面を押し当てながら、粘着テープ７を確実に貼付させるためのもので、中心軸を持つ回転構造の装置が適している。
【００１５】
上側包装シート剥離手段５は、包装シート袋５４の上側包装シート５３を剥離するためのもので、中心軸を持つ回転構造の装置が適していて、さらに、下側包装シート剥離手段１０との隙間を調整できるように移動できる構造が適している。
【００１６】
下側包装シート剥離手段１０は、包装シート袋５４の下側包装シート５２を剥離するためのもので、中心軸を持つ回転構造の装置が適している。
【００１７】
操作手段１４は、上側包装シート巻き取り手段６と下側包装シート巻き取り手段１１とクランク３０などで連結されていて、ラチェットやワンウェイベアリングなどを利用したもので操作手段１４を操作することによって、上側包装シート巻き取り手段６と下側包装シート巻き取り手段１１が、一定の方向にかつ一定の角度回転できる構造になっている。
【００１８】
粘着テープ送出手段２と上側包装シート巻き取り手段６の間には、剥離した粘着テープ１の移動方向順に、粘着テープ押し当て手段３・包装シート袋送出手段１２、粘着テープ加圧手段４、上側包装シート剥離手段５が位置し、粘着テープ送出手段８と下側包装シート巻き取り手段１１の間には、剥離した粘着テープ７の移動方向順に、粘着テープ貼付加圧手段９、下側包装シート剥離手段１０が位置している。
【００１９】
粘着テープ加圧手段４と粘着テープ貼付加圧手段９、上側包装シート剥離手段５と下側包装シート剥離手段１０は、それぞれ、包装シート袋５４をはさむことができるように位置している。
【００２０】
【実施例】
本発明は、次のようにして使用するが、剥離工程の前に準備工程から説明する。ここでは、包装シート袋に内蔵されている物を濾紙５１とする。
準備工程１．粘着テープ押し当て手段３と粘着テープ加圧手段４と上側包装シート剥離手段５をそれぞれ移動させて、包装シート袋送出手段１２と粘着テープ加圧手段９と下側包装シート剥離手段１０からそれぞれ遠ざける。
この工程は、剥離した粘着テープ１と剥離した粘着テープ７をセッティングする際に、剥離した粘着テープ１と剥離した粘着テープ７がお互いに貼付しないようにし、セッティングを容易にするためのものである。
【００２１】
準備工程２．巻かれている粘着テープ１を粘着テープ送出手段２に装着して、粘着テープ１の端部を剥離させる。
【００２２】
準備工程３．剥離した粘着テープ１の粘着剤が塗布されていない面を、粘着テープ押し当て手段３と粘着テープ加圧手段４と上側包装シート剥離手段５に順じ触れさせながら通し、上側包装シート巻き取り手段６に至らせて装着する。
【００２３】
準備工程４．巻かれている粘着テープ７を粘着テープ送出手段８に装着して、粘着テープ７の端部を剥離させる。
【００２４】
準備工程５．剥離した粘着テープ７の粘着剤が塗布されていない面を、粘着テープ貼付加圧手段９と下側包装シート剥離手段１０に順じ触れさせながら通し、下側包装シート巻き取り手段１１に至らせて装着する。
【００２５】
準備工程６．包装シート袋送出手段１２に、濾紙５１が内蔵された包装シート袋５４をセットする。
【００２６】
準備工程７．粘着テープ押し当て手段３と粘着テープ加圧手段４と上側包装シート剥離手段５を、包装シート袋送出手段１２と粘着テープ加圧手段９と下側包装シート剥離手段１０にそれぞれ近づける。
【００２７】
以上が準備工程である。次に剥離工程を説明する。
今後説明しやすいように、初めに貼付された包装シート袋５４を包装シート袋５４ａとし、このときの上側の包装シートを５３ａとし、下側の包装シートを５２ａとし、内蔵されている濾紙を５１ａとする。以下同様に、ｎ番目に貼付された包装シート袋５４を包装シート袋５４ｎとし、このときの上側の包装シートを５３ｎとし、下側の包装シートを５２ｎとし、内蔵されている濾紙を５１ｎとする。
【００２８】
剥離工程１．ピン２４が最下点に達するように操作手段１４を操作すると、下側シート巻き取り手段１１と上側シート巻き取り手段６は一定角度回転する。それに伴い、粘着テープ７と粘着テープ１は引っ張られ、下側包装シート剥離手段１０も上側包装シート剥離手段５も粘着テープ貼付加圧手段９も粘着テープ加圧手段４も粘着テープ送出手段８も粘着テープ送出手段２も回転を始める。
【００２９】
剥離工程２．粘着テープ加圧手段４が回転すると、ピン２４はそれに伴い移動して最下点に達し、バネ２３が伸びる。
【００３０】
剥離工程３．そして、粘着テープ押し当て手段３が、剥離した粘着テープ１の粘着剤が塗布されている面を、包装シート袋送出手段１２から送り出される包装シート袋５４ａの上側包装シート５３ａに押し当てる。
【００３１】
剥離工程４．ピン２４が最上点に達するように操作手段１４を操作すると、粘着テープ１に貼付された包装シート袋５４ａは、包装シート袋送出手段１２から離れ、包装シート袋送出手段１２は定荷重バネ１３の作用により、包装シート袋５４ｂを送出する。
【００３２】
剥離工程５．剥離工程１から剥離工程４を繰り返していく間に、次のような工程が行なわれる。
【００３３】
剥離工程６．粘着テープ１に貼り付けた包装シート５４ａが粘着テープ加圧手段４に到達し始め、下側包装シート５２ａに、粘着テープ貼付加圧手段９に通してある粘着テープ７が貼付され始める。（図４）
【００３４】
剥離工程７．そして、包装シート袋５４ａは、粘着テープ加圧手段４と粘着テープ貼付加圧手段９に挟まれた状態になり、包装シート袋５４ａを形成する上側包装シート５３ａと下側包装シート５２ａは、粘着テープ１と粘着テープ７に完全に貼付された状態になる。（図５）
【００３５】
剥離工程８．粘着テープ１と粘着テープ７に完全に貼付された包装シート袋５４ａは、上側包装シート剥離手段５と下側包装シート剥離手段１０の間に移動する。
【００３６】
剥離工程９．そして、包装シート袋５４ａの上側包装シート５３ａと下側包装シート５２ａは、上側シート巻き取り手段６と下側シート巻き取り手段１１の巻き取り作用と、粘着テープ１と粘着テープ７の粘着力により、上側包装シート５３ａと下側包装シート５２ａの剥離が始まり、包装シート袋５４ａに内蔵された濾紙５１ａが露出してくる。（図６）
【００３７】
剥離工程１０．露出してきた濾紙５１ａをピンセットなどにより摘まみ取る。
【００３８】
剥離工程１１．剥離した上側包装シート５３ａと下側包装シート５２ａは、粘着テープ１と粘着テープ７にそれぞれ貼付されたまま移動する。
以上のようにして、包装シート袋５４ｎから濾紙５１ｎを得ることができる。
【００３９】
【発明の効果】
本発明を使用することによって、次のような効果を生む。
（イ）操作手段の操作を手で行なう場合は片方の手だけでできるので、従来の両手の指先による剥離作業に比べ大幅な手間と時間を節約できる。
（ロ）操作手段の操作を手で行なう場合は片方の手だけでできるので、もう一方の手にピンセットなどを持って、内蔵されている濾紙５１などが自動的に露出してくるのを摘まみ取ることができるから、従来のピンセットなどをいちいち持ちかえていたことに比べ大幅な手間と時間を節約できる。
（ハ）従来の素手による作業がなくなり、不注意によって内蔵されている物を素手で触ってしまう恐れが皆無に近くなるので、内蔵されている物が衛生的な質を要求される場合、それに応えることが容易になる。
（ニ）剥離後の上側包装シート５３と下側包装シート５２がゴミとして生じるが、それらは粘着テープに貼付されているので散らばらず、片付けが容易になる。
【図面の簡単な説明】
【図１】包装シート袋の斜視図
【図２】包装シート袋の分解斜視図
【図３】本発明の機構図
【図４】本発明の実施例を示す説明図
【図５】本発明の実施例を示す説明図
【図６】本発明の実施例を示す説明図
【図７】本発明の実施例を示す説明図
【図８】本発明の実施例を示す説明図
【図９】本発明の実施例を示す説明図
【図１０】本発明の実施例を示す説明図
【符号の説明】
１　粘着テープ　　　　　　　　　　　２　粘着テープ送出手段
３　粘着テープ押し当て手段　　　　　４　粘着テープ加圧手段
５　上側包装シート剥離手段　　　　　６　上側包装シート巻き取り手段
７　粘着テープ　　　　　　　　　　　８　粘着テープ送出手段
９　粘着テープ貼付加圧手段　　　　　１０　下側包装シート剥離手段
１１　下側包装シート巻き取り手段　　１２　包装シート袋送出手段
１３　定荷重バネ　　　　　　　　　　１４　操作手段
２１　レバー　　　　　　　　　　　　２２　支点
２３　バネ　　　　　　　　　　　　　２４　ピン
２５　支持部
３０　クランク
４０　ブレーキスプリング　　　　　　４１　ブレーキスプリング
５１　濾紙　　　　　　　　　　　　　５２　下側包装シート
５３　上側包装シート　　　　　　　　５４　包装シート袋
５５　シール部
【図１】
2004131277.tif 000003
【図２】
2004131277.tif 000004
【図３】
2004131277.tif 000005
【図４】
2004131277.tif 000006
【図５】
2004131277.tif 000007
【図６】
2004131277.tif 000008
【図７】
2004131277.tif 000009
【図８】
2004131277.tif 000010
【図９】
2004131277.tif 000011
【図１０】
2004131277.tif 000012